(57)【要約】【課題】情報の記録密度及び転送速度が大きく、かつ耐久性に優れた情報記録媒体を提供する。【解決手段】センター孔２ａ，３ａを有する２枚の情報記録単板２，３を接着層５を介して同心に貼り合わせた密着貼り合わせ構造の情報記録媒体において、２枚の情報記録単板２，３の間のセンター孔２ａ，３ａの周囲に、繊維状又は布状の補強材４，４ａを介在させた。【選択図】図３
2007018673.tif 000002
【特許請求の範囲】
【請求項１】
センター孔を有する２枚の情報記録単板を接着層を介して同心に貼り合わせた密着貼り合わせ構造の情報記録媒体において、前記２枚の情報記録単板の間の前記センター孔の周囲に、繊維状又は布状の補強材を介在させたことを特徴とする情報記録媒体。
【請求項２】
前記繊維状又は布状の補強材を、前記２枚の情報記録単板の内周の非記録エリア内に配置したことを特徴とする請求項１に記載の情報記録媒体。
【請求項３】
前記繊維状又は布状の補強材を前記センター孔よりも直径が大きなリング状に形成し、当該リング状に形成された補強材を前記センター孔と同心に配置したことを特徴とする請求項１又は請求項２に記載の情報記録媒体。
【発明の詳細な説明】
【技術分野】
【０００１】
本発明は、情報記録媒体に係り、特に、密着貼り合わせ構造の情報記録媒体における耐久性の改善手段に関する。
【背景技術】
【０００２】
密着貼り合わせ構造の情報記録媒体は、センター孔を有する２枚の情報記録単板を接着層を介して同心に貼り合わせたものであり、従来より、コンピュータ用情報、音声情報、静止画像情報及び動画像情報を記録するための光ディスクなどとして広く実用に供されている。
【０００３】
この種の情報記録媒体は、情報の記録再生時においては、記録再生装置に備えられた回転スピンドルをセンター孔に挿入することによって回転スピンドルに対する心出しが行われると共に、回転スピンドルの先端部に備えられたクランプ爪をセンター孔のエッジ部、即ち、センター孔を構成する情報記録媒体の内周面と情報記録媒体の表裏面との間の角部に係合することによって回転スピンドルと一体に形成されたターンテーブルへのクランプが行われる。また、保存時においては、保存用カートリッジケースに備えられたクランプ爪をセンター孔のエッジ部に係合することによって保存用カートリッジケース内に安定に保持される。
【０００４】
このように、センター孔のエッジ部には繰り返しクランプ力が付与されるので、欠けや割れが生じやすいが、現状においては、このセンター孔のエッジ部に生じた欠けや割れが記録再生動作中に成長するということがなく、大きな問題になっていない。
【発明の開示】
【発明が解決しようとする課題】
【０００５】
しかしながら、近年、この種の情報記録媒体については、より一層の記録密度の高密度化及び転送速度の高速化が求められており、かかる要請に対処するため、記録再生時における回転数がますます増加される傾向にある。
【０００６】
記録再生時における情報記録媒体の回転数が増加されると、それに伴って情報記録媒体に作用する遠心力や振動が大きくなるので、センター孔のエッジ部に欠けや割れを生じていると、記録再生動作時にこれらの欠けや割れに集中する応力が回転数の増加に応じて大きくなるため、センター孔のエッジ部に生じた欠けや割れを基点として割れが進行し、最悪の場合には情報記録媒体の破壊といった重大な不都合を生じるおそれがある。
【０００７】
本発明は、かかる従来技術の不備を解消するためになされたものであり、その目的は、情報の記録密度及び転送速度が大きく、かつ耐久性に優れた情報記録媒体を提供することにある。
【課題を解決するための手段】
【０００８】
本発明は、前記の課題を解決するため、センター孔を有する２枚の情報記録単板を接着層を介して同心に貼り合わせた密着貼り合わせ構造の情報記録媒体において、前記２枚の情報記録単板の間の前記センター孔の周囲に、繊維状又は布状の補強材を介在させるという構成にした。
【０００９】
本願発明者等の研究によると、クランプ時にセンター孔のエッジ部に欠けや割れを生じる原因は、センター孔の周囲まで十分に接着層が形成されていないことに起因するセンター孔の周囲の強度不足にあることが判明した。即ち、情報記録単板の貼り合わせ時に十分な量の接着剤を供給すれば、接着層を情報記録単板の最内周部及び最外周部まで形成することができるが、このようにすると、余剰の接着剤が情報記録単板の最内周部及び最外周部から流れ出して接着剤の拭き取り作業が必要となるため、実際の組立工程においては、如何なる状況下においても余剰の接着剤が情報記録単板の最内周部及び最外周部から流れ出さない量の接着剤を供給して、情報記録単板の貼り合わせを行っている。したがって、密着貼り合わせ構造の情報記録媒体においては、接着層が情報記録単板の最内周部及び最外周部まで達していない場合の方がむしろ普通であり、これがセンター孔の周囲の強度不足を生じる原因になっている。
【００１０】
そこで、２枚の情報記録単板の間のセンター孔の周囲に補強材を介在させると、該部の強度が高められるので、センター孔のエッジ部における欠けや割れの発生が防止され、情報記録媒体の高速回転に対する耐久性が高められる。また、補強材として繊維状の補強材を用いると、これが接着剤止めとして機能し、また、補強材として布状の補強材を用いると、布状の補強材を構成する各繊維間の空隙が接着層溜めとして機能するので、２枚の情報記録単板を最内周部まで接着することが可能になり、センター孔の周囲の強度が高められて、センター孔のエッジ部における欠けや割れの発生が防止される。さらに、補強材として繊維状又は布状の補強材を用いると、低比重で高い補強効果が得られるので、例えば板状の補強材を介在させる場合に比べて情報記録媒体の回転特性に及ぼす悪影響が抑制される。
【００１１】
また、本発明は、前記構成の情報記録媒体において、前記繊維状又は布状の補強材を、前記２枚の情報記録単板の内周の非記録エリア内に配置するという構成にした。
【００１２】
このように、補強材の配置領域を各情報記録単板の内周に設けられる非記録エリア内に限定すると、補強材の存在が各情報記録単板に設けられた情報記録層の記録再生特性に悪影響を及ぼさないので、高強度にして記録再生特性が安定な情報記録媒体とすることができる。
【００１３】
また、本発明は、前記構成の情報記録媒体において、前記繊維状又は布状の補強材を前記センター孔よりも直径が大きなリング状に形成し、当該リング状に形成された補強材を前記センター孔と同心に配置するという構成にした。
【００１４】
このように、繊維状又は布状の補強材をセンター孔よりも直径が大きなリング状に形成してセンター孔と同心に配置すると、周方向の重量バランスを均一にすることができるので、高強度にして回転特性が安定な情報記録媒体とすることができる。
【発明の効果】
【００１５】
本発明の情報記録媒体は、密着貼り合わせ構造の情報記録媒体において、２枚の情報記録単板の間のセンター孔の周囲に繊維状又は布状の補強材を介在させるので、センター孔のエッジ部に欠けや割れが生じにくく、回転速度の高速化による記録密度の高密度化及び転送速度の高速化を図ることができる。また、補強材として低比重にして高い補強効果が得られる繊維状又は布状の補強材を用いたので、情報記録媒体の回転特性に及ぼす悪影響が抑制され、この点からも回転速度の高速化による記録密度の高密度化及び転送速度の高速化を図ることができる。
【発明を実施するための最良の形態】
【００１６】
以下、本発明に係る情報記録媒体の実施形態例を図１乃至図４に基づいて説明する。図１は第１実施形態例に係る情報記録媒体の斜視図、図２は第１実施形態例に係る情報記録媒体の分解斜視図、図３は第１実施形態例に係る情報記録媒体の要部断面図、図４は第２実施形態例に係る情報記録媒体の内面図である。
【００１７】
図１乃至図３に示すように、第１実施形態例に係る情報記録媒体１Ａは、センター孔２ａを有する第１の情報記録単板２とセンター孔３ａを有する第２の情報記録単板３とを布状の補強材４及び接着層５を介して同心に貼り合わせてなる。
【００１８】
第１の情報記録単板２は、センター孔２ａを有するディスク状の基板２ｂと当該基板２ｂの片面又は両面に形成された情報記録層２ｃとからなり、第２の情報記録単板３は、センター孔３ａを有するディスク状の基板３ｂと当該基板３ｂの片面又は両面に形成された情報記録層３ｃとからなる。
【００１９】
基板２ｂ，３ｂは、例えば樹脂材料、ガラス材料、セラミック材料又は金属材料など、所要の剛性を有する材料をもって所要のサイズに形成されており、最内周部及び最外周部を除く中間領域には、微細な凹凸の組合せからなる図示しないプリフォーマットパターンが形成されている。
【００２０】
情報記録層２ｃ，３ｃは、例えば光記録材料、磁気記録材料、光磁気記録材料又はホログラム材料などの情報記録材料をもって、少なくとも前記プリフォーマットパターンの形成領域を覆う範囲に形成される。したがって、所要のヘッド装置を用いてプリフォーマットパターンに記録されたプリフォーマット情報を読み取り、所望の情報記録部にヘッド装置をアクセスすることにより、情報記録層２ｃ，３ｃに対する情報の書き込みと、情報記録層２ｃ，３ｃからの情報の読み出しとを行うことができる。
【００２１】
布状の補強材４は、図２に示すように、内径がセンター孔２ａ，３ａの直径と同じかそれよりもやや大きく、外径が情報記録層２ｃ，３ｃの内周径よりもやや小さいリング状に形成されており、図３に示すように、第１及び第２の情報記録単板２，３の内周の非記録エリア内に配置される。この布状の補強材４は、所要の引張強度を有するものであれば公知に属する任意の繊維からなる織物、編み物又は不織布等を用いることができるが、繊維径が小さくかつ高強度であることから、カーボン繊維又はガラスファイバーからなるものが特に好適である。
【００２２】
接着層５を構成する接着剤としては、所要の接着強度を有するものであれば公知に属する任意の接着剤を用いることができるが、取り扱い及び接着作業が容易であることから、ホットメルト接着剤が特に好適である。
【００２３】
第１実施形態例に係る情報記録媒体１Ａ及び補強材を有しない従来の情報記録媒体を市販の記録再生装置に繰り返し着脱して、センター孔２ａ，３ａのエッジ部における欠けや割れの発生を試験したところ、従来の情報記録媒体は着脱を３６００回繰り返したとことで割れを発生したのに対して、第１実施形態例に係る情報記録媒体１Ａは着脱を７００００回繰り返しても割れや欠けが発生せず、耐久性の向上に顕著な効果があることがわかった。
【００２４】
このように、本例の情報記録媒体１Ａは、２枚の情報記録単板２，３の間のセンター孔２ａ，３ａの周囲に布状の補強材４を介在させたので、センター孔２ａ，３ａのエッジ部に欠けや割れが生じにくく、回転速度の高速化による記録密度の高密度化及び転送速度の高速化を図ることができる。また、補強材として低比重にして高い補強効果が得られる布状の補強材４を用いたので、情報記録媒体１Ａの回転特性に及ぼす悪影響が抑制され、この点からも回転速度の高速化による記録密度の高密度化及び転送速度の高速化を図ることができる。さらに、本例の情報記録媒体１Ａは、補強材４の配置領域を各情報記録単板２，３の内周に設けられる非記録エリア内に限定したので、補強材４の存在が各情報記録単板２，３に設けられた情報記録層２ｃ，３ｃの記録再生特性に悪影響を及ぼすことがない。加えて、布状の補強材４をセンター孔２ａ，３ａよりも直径が大きなリング状に形成してセンター孔２ａ，３ａと同心に配置したので、情報記録媒体１Ａの周方向の重量バランスを均一にすることができる。
【００２５】
なお、前記実施形態例においては、布状の補強材４を用いたが、本発明の要旨はこれに限定されるものではなく、図４に示すように、リング状に形成された繊維４ａを補強材として用いることもできる。なお、図４の例では３本の繊維状の補強材４ａがセンター孔２ａ，３ａの周囲に同心状に配置されているが、繊維状の補強材４ａの本数については、１本以上の任意の本数とすることができる。その他については、第１実施形態例に係る情報記録媒体１Ａと同じであるので、対応する部分に同一の符号を付して説明を省略する。本例の情報記録媒体１Ｂも、第１実施形態例に係る情報記録媒体１Ａと同様の効果を有する。
【図面の簡単な説明】
【００２６】
【図１】第１実施形態例に係る情報記録媒体の斜視図である。
【図２】第１実施形態例に係る情報記録媒体の分解斜視図である。
【図３】第１実施形態例に係る情報記録媒体の要部断面図である。
【図４】第２実施形態例に係る情報記録媒体の内面図である。
【符号の説明】
【００２７】
１Ａ，１Ｂ    情報記録媒体
２，３    情報記録単板
２ａ，３ａ    センター孔
２ｂ，３ｂ    基板
２ｃ，３ｃ    情報記録層
４，４ａ    補強材
５    接着層
【図１】
2007018673.tif 000003
【図２】
2007018673.tif 000004
【図３】
2007018673.tif 000005
【図４】
2007018673.tif 000006